(57)【要約】【課題】ケースに対しタンクの出入れを円滑に行うことできると共に、地震動などによるケースからの載置板の飛び出しを防止することができるタンク収納装置を提供する。【解決手段】タンクを載置する載置板５２と、載置板５２の下側に配設され、タンクから漏出した流体を受けるドレンパン５３と、載置板５２を介してタンク３１，３２,３３を、ケース内に収納する収納位置とケース外に引き出す交換位置との間で、出入れ自在に支持するスライド機構５４と、載置板５２に設けられ、出入れの際の手掛かりとなる取手と、を備え、取手は、載置板５２から上側に突出する使用姿勢と、載置板５２から下側に突出する非使用姿勢との間で姿勢変更可能に構成され、非使用姿勢の状態で、ドレンパン５３の側板に当接しスライド機構５４のスライドストッパとして機能すること。【選択図】図５
2009119343.tif 000002
【特許請求の範囲】
【請求項１】
ケース内に設けられ、前記ケースの１の側面からタンクを出入れ自在に収納するタンク収納装置であって、
前記タンクを載置する載置板と、
前記載置板の下側に配設され、前記タンクから漏出した流体を受けるドレンパンと、
前記載置板を介して前記タンクを、前記ケース内に収納する収納位置と前記ケース外に引き出す交換位置との間で、出入れ自在に支持するスライド機構と、
前記載置板に設けられ、前記出入れの際の手掛かりとなる取手と、を備え、
前記取手は、前記載置板から上側に突出する使用姿勢と、前記載置板から下側に突出する非使用姿勢との間で姿勢変更可能に構成され、前記非使用姿勢の状態で、前記ドレンパンの側板に当接し前記スライド機構のスライドストッパとして機能することを特徴とするタンク収納装置。
【請求項２】
前記取手は、前記使用姿勢と前記非使用姿勢との間で、回転により姿勢変更する回転取手で構成されていることを特徴とする請求項１に記載のタンク収納装置。
【請求項３】
前記スライド機構は、前記載置板と前記ドレンパンとの間に介設したスライドレール金具で構成されていることを特徴とする請求項１または２に記載のタンク収納装置。
【請求項４】
前記載置板上に設けられ、前記タンクの転倒を防止する転倒防止手段を、更に備えたことを特徴とする請求項１ないし３のいずれかに記載のタンク収納装置。
【請求項５】
前記転倒防止手段は、前記タンクを囲うように配設した複数の転倒防止部材を有し、
前記各転倒防止部材は、前記載置板に立設され、前記タンクを外側から押圧する押圧部と、前記押圧部の上端から外側に反るように延在し、前記タンクの上方からのセットをガイドするガイド部と、から成ることを特徴とする請求項４に記載のタンク収納装置。
【請求項６】
前記ケースの１の側面には、左扉および右扉から成る引き戸形式の開閉扉が設けられ、
前記載置板は、前記左扉に面する左載置板および前記右扉に面する右載置板から成り、
前記スライド機構は、左載置板を出入れ自在に支持する左スライド機構および右載置板を出入れ自在に支持する右スライド機構から成り、
前記左載置板は、前記開閉扉により前側面の左部を開放した状態で、前記載置板を引出し可能に構成され、
前記右載置板は、前記開閉扉により前側面の右部を開放した状態で、前記載置板を引出し可能に構成されていることを特徴とする請求項１ないし５のいずれかに記載のタンク収納装置。
【発明の詳細な説明】
【技術分野】
【０００１】
本発明は、ケース内に設けられ、タンクを出入れ自在に収納するタンク収納装置するに関するものである。
【背景技術】
【０００２】
従来、この種のタンク収納装置を有するインクジェット方式の機能液滴吐出ヘッドの洗浄装置として、タンクを載置すると共に、タンクから漏出した流体を受けるドレンパンと、ドレンパンを装置の内外に出入れ自在に支持するスライド機構と、ドレンパンに設けられ、タンクの転倒を防止する転倒防止手段と、がキャビネット内に収納されているものが知られている（特許文献１参照）。この洗浄装置は、オペレータが、スライド機構を介してドレンパンをキャビネット外部に引き出して、収納しているタンクを交換するようになっている。
【特許文献１】特開２００３−１８２０９５号公報
【発明の開示】
【発明が解決しようとする課題】
【０００３】
しかしながら、このようなタンク収納装置では、ドレンパンがスライド自在に設けられているため、例えば、スライド方向の大きな振動（地震動）により、キャビネットからタンクを載置したドレンパンが飛び出してしまうという問題があった。また、取手が設けられていないため、ドレンパンの内側の側板を手掛かりにタンクを引き出す必要があり、タンクの出入れが煩雑になる問題があった。
【０００４】
本発明は、ケースに対しタンクの出入れを円滑に行うことできると共に、地震動などによるケースからの載置板の飛び出しを防止することができるタンク収納装置を提供することをその課題としている。
【課題を解決するための手段】
【０００５】
本発明のタンク収納装置は、ケース内に設けられ、ケースの１の側面からタンクを出入れ自在に収納するタンク収納装置であって、タンクを載置する載置板と、載置板の下側に配設され、タンクから漏出した流体を受けるドレンパンと、載置板を介してタンクを、ケース内に収納する収納位置とケース外に引き出す交換位置との間で、出入れ自在に支持するスライド機構と、載置板に設けられ、出入れの際の手掛かりとなる取手と、を備え、取手は、載置板から上側に突出する使用姿勢と、載置板から下側に突出する非使用姿勢との間で姿勢変更可能に構成され、非使用姿勢の状態で、ドレンパンの側板に当接しスライド機構のスライドストッパとして機能することを特徴とする。
【０００６】
この構成によれば、オペレータは、載置板に設けられた取手を手掛かりにタンクの出し入れをするため、円滑にタンクの交換作業を行うことができる。さらに、取手は、非使用姿勢でスライド機構のスライドストッパとして機能するため、スライド方向の揺れに対して、載置板のケースからの飛び出しを確実に防止することができると共に、載置板の出入れ時の取手およびスライドストッパの役割を兼ねているため、装置の構成部品数を削減することができる。
【０００７】
この場合、取手は、使用姿勢と非使用姿勢との間で、回転により姿勢変更する回転取手で構成されていることが、好ましい。
【０００８】
この構成によれば、回転取手は、使用姿勢（取手）と非使用姿勢（スライドストッパ）との姿勢変更を容易に行なうことができる。また、回転取手は、市販品で代用することができるため、装置の製造コストを削減することができる。
【０００９】
この場合、スライド機構は、載置板とドレンパンとの間に介設したスライドレール金具で構成されていることが、好ましい。
【００１０】
この構成によれば、スライド機構により、タンクの出入れを円滑に行うことができる。また、スライド機構は、載置板とドレンパンとの間に介設されており、タンクから漏出した流体がスライド機構を伝わって流れても、ドレンパンの外部に流出することがない。
【００１１】
この場合、載置板上に設けられ、タンクの転倒を防止する転倒防止手段を、更に備えたことが、好ましい。
【００１２】
この構成によれば、地震動などに対し、転倒防止部材により、タンクの転倒を有効に防止することができる。
【００１３】
この場合、転倒防止手段は、タンクを囲うように配設した複数の転倒防止部材を有し、各転倒防止部材は、載置板に立設され、タンクを外側から内側に押圧する押圧部と、押圧部の上端から外側に反るように延在し、タンクの上方からタンクのセットをガイドするガイド部と、から成ることが、好ましい。
【００１４】
この構成によれば、タンクを転倒防止部材の上方から挿入すると、タンクは、各ガイド部にガイドされて所定の位置にセットされる。また、転倒防止部材は、タンクを囲うように位置しているため、タンクの位置ずれおよび転倒を有効に防止することができる。
【００１５】
この場合、ケースの１の側面には、左扉および右扉から成る引き戸形式の開閉扉が設けられ、載置板は、左扉に面する左載置板および右扉に面する右載置板から成り、スライド機構は、左載置板を出入れ自在に支持する左スライド機構および右載置板を出入れ自在に支持する右スライド機構から成り、左載置板は、開閉扉により前側面の左部を開放した状態で、載置板を引出し可能に構成され、右載置板は、開閉扉により前側面の右部を開放した状態で、載置板を引出し可能に構成されていることが、好ましい。
【００１６】
この構成によれば、タンクを交換する際に、開閉扉が邪魔にならず、交換を要するタンクのみを引き出すことができるため、円滑にタンクを交換することができる。
【発明を実施するための最良の形態】
【００１７】
以下、添付した図面を参照して、本発明に係るタンク収納装置を利用したヘッド洗浄装置（以下、単に「洗浄装置」という。）について説明する。この洗浄装置は、セットされたインクジェット方式の機能液滴吐出ヘッドの内部流路に洗浄液を通液して、機能液滴吐出ヘッドを洗浄するものである。カラーフィルタの製造等の工業応用の描画に用いる機能液滴吐出ヘッドは、その複数個をサブキャリッジに組み付けて描画装置に搭載するが、サブキャリッジへの組み付けに先立ち、個々に吐出試験を行う。本洗浄装置は、この吐出試験後、サブキャリッジに組付け前に、試験に用いた機能液（インク）を機能液滴吐出ヘッドから洗い流すものである。
【００１８】
図１ないし図３に示すように、洗浄装置１は、セットされた機能液滴吐出ヘッド２のヘッド内部流路３に洗浄液を通液して機能液滴吐出ヘッド２を洗浄する洗浄装置本体４と、洗浄装置本体４に洗浄液を供給する第１洗浄液タンク３２および第２洗浄液タンク３３と洗浄後の洗浄液を回収する廃液タンク３１とを含むタンクセット５と、タンクセット５を洗浄装置の内外に出入れ自在に収納するタンク収納装置５１と、洗浄装置本体４による洗浄パターンを設定可能に構成されると共に、設定した洗浄パターンに基づいて洗浄装置本体４を制御する電装部６と、洗浄装置本体４、タンクセット５、タンク収納装置５１および電装部６を収容する２段のキャビネット７と、を備えている。そして、キャビネット７には、天板１１上に電装部６を前向きに設置され、上段収容部８に洗浄装置本体４を前向きに収容され、下段収容部９にタンクセット５を収納するタンク収納装置５１が前向きに収容されている。
【００１９】
キャビネット７は、キャビネット形式の下段収容部９の上にキャビネット形式の上段収容部８を載せた形態を有し、固定的に連結されている（図１参照）。上段収容部８の前面には、開き戸形式の上段開閉扉１２が設けられており、上段収容部８の背面下部には、上段収容部８内のエアーを排気するためのＴ字状の上段排気ダクト１３が設けられている（図２参照）。同様に、下段収容部９の前面には、右扉１４および左扉１５からなる引き戸形式の下段開閉扉１６が設けられている。また、下段収容部９の背面上部には、下段収容部９内のエアーを排気するためのＬ字状の下段排気ダクト１７が設けられており、上段収容部８の上段排気ダクト１４と共に、図外の排気設備に接続されている（図示省略）。
【００２０】
図３に示すように、洗浄装置本体４は、３つの機能液滴吐出ヘッド２をセットするヘッドセット部２１と、ヘッドセット部２１の下側に配置され、セットされた機能液滴吐出ヘッド２から洗浄液を吸引するヘッド吸引部２２と、を有しており、上段収容部８に収容されている。この場合、３つの機能液滴吐出ヘッド２は、それぞれ描画時にＲ色、Ｇ色およびＢ色の機能液を導入し吐出する３種類のものであり、後述する洗浄工程においても色分けして作業を行なうようにしている。
【００２１】
ヘッドセット部２１は、Ｒ・Ｇ・Ｂの３つの機能液滴吐出ヘッド２を横並びにセットするセットテーブル２３と、洗浄液供給チューブ３５を機能液滴吐出ヘッド２の機能液導入部に差込み接続する逆止弁付の３つのジョイント２４と、ジョイント２４と共に機能液滴吐出ヘッド２をセットテーブル２３上にセットするための３つのトグルクランプ２５と、を有している。
【００２２】
ヘッド吸引部２２は、セットテーブル２３の下側に平行に配設したホルダプレート２６と、ホルダプレート２６に組み込まれ、各機能液滴吐出ヘッド２に密着して機能液の吸引を行う３つの吸引キャップ２７と、各吸引キャップ２７に連なる３つの吸引機構２８と、から構成されている（詳細は後述する）。機能液滴吐出ヘッド２をトグルクランプ２５によりセットテーブル２３にセットすると、機能液滴吐出ヘッド２のノズル面が吸引キャップ２７に密接し、吸引機構２８による吸引、すなわち機能液滴吐出ヘッド２への洗浄液の通液が可能になる。
【００２３】
タンクセット５は、下段収容部９の左部に配置した廃液タンク３１と、右部に配置した第１洗浄液を貯留する第１洗浄液タンク３２および第２洗浄液を貯留する第２洗浄液タンク３３と、を有している（図４参照）。詳細は後述するが、機能液滴吐出ヘッド２に対し、先ず第１洗浄液を通液して洗浄を行い、次に第２洗浄液を通液して洗浄を行うようになっている。なお、廃液タンク３１、第１洗浄液タンク３２および第２洗浄液タンク３３は、透光性を有する素材で形成されており、後述する残液センサ１０２および満液センサ１０１でその貯液状態を検出できるようになっている。
【００２４】
次に、図４の配管系統図を参照して、洗浄装置１廻りの構成について簡単に説明する。洗浄装置１は、上記の第１洗浄液タンク３２および第２洗浄液タンク３３から成る洗浄液タンク３４と、洗浄液タンク３４および機能液滴吐出ヘッド２を接続する洗浄液供給チューブ３５と、機能液滴吐出ヘッド２を介して洗浄液を吸引する吸引機構２８と、洗浄に使用した廃液を貯留する廃液タンク３１と、から構成されている。第１洗浄液タンク３２および第２洗浄液タンク３３は、洗浄パターンに応じ、洗浄液供給チューブ３５に介設された開閉バルブ３６で洗浄液を切替えるようになっている。
【００２５】
洗浄液供給チューブ３５は、上流端が第１洗浄液タンク３２の底部まで挿入された第１タンク側短チューブ３７と、上流端が第２洗浄液タンク３３の底部まで挿入された第２タンク側短チューブ３８と、エアーオペレートバルブで構成された開閉バルブ３６を介して両タンク側短チューブ３７，３８の下流端から機能液滴吐出ヘッド２に至る主洗浄液供給チューブ４３と、から構成されている。主洗浄液供給チューブ４３には、エアーを混入或いは導入可能な大気開放切替バルブ３９が介設されており、バブリング洗浄および洗浄液の抜取りができるようになっている。また、主洗浄液供給チューブ４３の下流端には、機能液滴吐出ヘッド２と接続するための、ジョイント２４が接続されている。第１タンク側短チューブ３７は、下流側が３分岐しており、第２タンク側短チューブ３８も、同様に下流側が３分岐している。すなわち、色別（Ｒ色，Ｇ色およびＢ色）に機能液滴吐出ヘッド２を洗浄動作することができるように、上記した洗浄液供給チューブ３５および開閉バルブ３６は、３組設けられている。
【００２６】
吸引機構２８は、機能液滴吐出ヘッド２のノズル面を覆うように密接すると共に、ヘッド内部流路３を通液した洗浄液の受けとなる３つ吸引キャップ２７と、上流端を各吸引キャップ２７に接続した３本の個別チューブ４０と、個別チューブ４０の下流端に接続され、洗浄液の吸引を行なう３つのプロセスポンプ４１と、を備えている。
【００２７】
プロセスポンプ４１は、一次側を図外の圧縮エアー供給設備に接続され、二次側を個別チューブ４０に接続されている。プロセスポンプ４１は、圧縮エアーにより駆動して、廃液チューブ４２を介して洗浄液を廃液タンク３１に送液する。廃液タンク３１は、上流端がプロセスポンプ４１に接続した廃液チューブ４２が上部に接続されており、ヘッド内部流路３に通液された機能液混じりの洗浄液を回収する。
【００２８】
本実施形態の１の洗浄パターンでは、先ずプロセスポンプ４１をエアー駆動して、第１洗浄液タンク３２から第１洗浄液を導入し、機能液滴吐出ヘッド２に通液して第１洗浄工程（数十秒）を行う。ここで、大気開放切替バルブ３９を大気開放して第１洗浄液を完全に抜き取ってから、再度、プロセスポンプ４１駆動して、第２洗浄液タンク３３から第２洗浄液を導入し、機能液滴吐出ヘッド２に通液して第２洗浄工程（数十秒）を行う。また、第２洗浄工程では、適宜バブリングを行う。最後に、大気開放切替バルブ３９を大気開放し、第２洗浄液を完全に抜き取って、洗浄作業を完了する。
【００２９】
次に図５を参照して、タンク収納装置５１について詳細に説明する。タンク収納装置５１は、タンクセット５を載置するための左載置板６１および右載置板６２からなる載置板５２と、載置板５２の下方に配設され、タンクセット５から漏出した流体の受けとなるドレンパン５３と、タンクセット５を、下段収容部９内に収納する収納位置と下段収容部９外に引き出す交換位置との間で、出入れ自在に支持する左スライドレール６３および右スライドレール６４からなるスライド機構５４と、を備えている。そして、左右各載置板６１，６２には、使用姿勢と非使用姿勢との間で、回転により姿勢変更し、取手およびスライドスットパを兼用する回転取手６５が設けられている。タンクセット５は、使用姿勢にした回転取手６５を手掛かりに、左右各載置板６１，６２を収納位置と交換位置との間でそれぞれ出し入れして、交換するようになっている。
【００３０】
左載置板６１は、廃液タンク３１を載置するものであり、下段収容部９の左扉１５に面して設けられ、一方、右載置板６２は、第１洗浄液タンク３２および第２洗浄液タンク３３を載置するものであり、下段収容部９の右扉１４に面して設けられている。そして、左載置板６１および右載置板６２は、いずれもドレンパン５３の直上部に配設されている。
【００３１】
次に、左載置板６１および右載置板６２について説明するが、左載置板６１および右載置板６２は、大きさが異なるだけで同様の形態を有しているため、右載置板６２を例に挙げて説明する。右載置板６２は、ステンレスなどの非腐食素材によって縦長の方形に形成され、洗浄液タンク３４を載置した載置板本体７１と、載置板本体７１の上面に配設され、洗浄液タンク３４の転倒を防止する２組の転倒防止機構（転倒防止手段）７２と、を有している。また、右載置板６２の前端部には、取付金具７３を介して回転取手６５が取り付けられている。載置板本体７１の両側端部には、下側に折り曲げた一対の折曲げ片７４が形成されており、この各折曲げ片７４の内側には、一対のスライドレール６２、６３がねじ止めされている。そして、載置板本体７１には、前部に第１洗浄液タンク３２が、後部に第２洗浄液タンク３３が搭載されている。
【００３２】
各組の転倒防止機構７２は、第１洗浄液タンク（第２洗浄液タンク３３）を囲うように載置板本体７１の上面に立設された４つの転倒防止部材７５で構成されている。各転倒防止部材７５は、タンクセット５を載置板５２の外側から内側に押圧する押圧部７６と、押圧部７６の上端から外側に反るように延在しているガイド部７７と、が一体に形成されている。押圧部７６とガイド部７７とは、帯状の板状部材を折り曲げて形成されており、押圧部７６は僅かに内側に傾斜しており、ガイド部７７は、押圧部７６の上端が外側に向かって折れ曲がっている。第１洗浄液タンク（第２洗浄液タンク３３）を転倒防止機構７２の上方から挿入すると、各転倒防止部材７５は、載置板５２の内側から外側に拡開し、第１洗浄液タンク（第２洗浄液タンク３３）の挿入をガイドする。これにより、第１洗浄液タンク（第２洗浄液タンク３３）は、４つの転倒防止部材７５の中央に位置決めセットされ、地震動などによる位置ずれおよび転倒が防止される。なお、左載置板６１には、右載置板６２の転倒防止機構７２に代えて、上面視「Ｕ」字状の一対のカバー７８が設けられている。
【００３３】
図６に示すように、取付金具７３は、板材を断面クランク状に折り曲げて構成されており、基部で載置板本体７１の先端部下面にねじ止めされている。取付金具７３の前側は、載置板本体７１より、いくぶん低い位置で前方に延在しており、前端部には、回転取手６５を取付けるための短形開口８１が形成されている。
【００３４】
回転取手６５は、床下収納庫などに取り付けられる市販の取手であり、正逆半回転する取手本体８２と、取手本体８２を開口部８３に対して出没自在に支持する支持部材８４と、から構成されている。支持部材８４の下面中央には、取手本体８２を回転自在に支持する回転軸８５と、取手本体８２の正逆半回転位置を規制するストッパ（図示省略）と、が設けられている。取手本体８２は、半円のリンク状に形成されており、上記の回転軸８５によって、上側に突出する使用姿勢と下側に突出する非使用姿勢との間で正逆回転自在に支持されている。なお、回転取手６５に代えて、使用姿勢と非使用姿勢との間で上下スライドする取手を用いるようにしてもよい。
【００３５】
オペレータがタンク３１，３２，３３を交換する際には、回転取手６５を使用姿勢に移動して、スライドストッパを外すようにし、取付金具７３の上端より上側に突出させた回転取手６５を手掛かりにして、載置板５２を収納位置から交換位置にスライドする（図６（ａ）参照）。タンク３１，３２，３３を交換した後、同様に回転取手６５を手掛かりにして、載置板５２を交換位置から収納位置に収納する。そして、回転取手６５を取付金具７３の上端より下側に突出するように収納姿勢に移動して、ドレンパン５３の内側の側板に当接させ、スライド機構５４のスライドストッパとして機能する（図６（ｂ）参照）。
【００３６】
左右各スライドレール６３，６４は、載置板本体７１に配設された第１レール９１と、ドレンパン５３に配設された第２レール９２と、第１レール９１および第２レール９２と係合する第３レール９３と、が相互スライド自在に接続している。また、左右各スライドレール６３，６４は、載置板本体７１の折曲げ片７４の内側とドレンパン５３に立設したレール固定部材９４との間に介設されている。すなわち、折曲げ片７４の内側には第１レールが、レール固定部材９４の外側には第２レールが、そして第１レール９１と第２レール９２との間に第３レール９３が配設されている。また、レール固定部材９４は、スライド機構５４を介して載置板本体７１および取付金具７３がスライド時にドレンパン５３の側板に干渉しない高さに、載置板本体７１を支持している。
【００３７】
ドレンパン５３は、ステンレスなどの素材で箱状に形成され、下段収容部９の底面に固定的に設けられている。ドレンパン５３は、タンクセット５中、最も大きい廃液タンク３１以上の容量を有しており、左右各載置板６１，６２を包含する大きさに形成されている。ドレンパン５３の底面には、各一対２組の上記レール固定部材９４が、それぞれスライド方向に延在するように配設されている。
【００３８】
また、ドレンパン５３には、左載置板６１の近傍に載置され、廃液タンク３１の満液状態を検出する満液センサ１０１と、右載置板６２の近傍に載置され、第１洗浄液タンク３２および第２洗浄液タンク３３内の減液状態を検知する２つの残液センサ１０２と、が設けられている。上記した洗浄工程において、満液センサ１０１が設定値以上の廃液量を検知すると、制御装置がオペレータに報知するようになっており、第１洗浄液および第２洗浄液が設定値以下になったことを残液センサ１０２が検知すると、制御装置が、それぞれオペレータに報知するようになっている。
【００３９】
次に、タンク収納装置５１に収納されたタンクセット５の交換作業を第１洗浄液タンク３２を例にして説明する。まず、右載置板６２が収納位置にあるとき、オペレータが回転取手６５を使用位置に移動して、右載置板６２を引き出す。右載置板６２を引き出すと、左右各スライドレール６２，６３の第１レール９１が第３レール９３上をスライドすると共に、第３レール９３が第２レール９２上をスライドする。すなわち右載置板６２は、左右各スライドレール６２，６３が２段階にスライドするまでに、収納位置から交換位置に移動する。そして、第１洗浄液タンク３２を交換した後、回転取手６５を使用姿勢にして、右載置板６２を収納位置に収納する。右載置板６２が収納位置に達すると、回転取手６５を使用姿勢から非使用姿勢に移動してスライドストッパとする。
【００４０】
以上の構成によれば、オペレータは、使用姿勢に移動した回転取手６５を手掛かりに載置板５２を洗浄装置１外に引き出して、各タンク３１，３２，３３を交換することができる。また、収納位置で非使用姿勢にある回転取手６５は、スライド機構５４のスライドストッパとして、載置板５２の飛び出しを有効に防止することができる。
【図面の簡単な説明】
【００４１】
【図１】洗浄装置の前面外観斜視図である。
【図２】洗浄装置の後面外観斜視図である。
【図３】上段収容部および電装部の外観斜視図である。
【図４】洗浄装置廻りの配管系統図である。
【図５】タンク収納装置の外観斜視図である。
【図６】回転取手の外観斜視図である。
【符号の説明】
【００４２】
５…タンクセット  ９…下段収容部  １４…右扉  １５…左扉  １６…下段開閉扉  ３１…廃液タンク  ３２…第１洗浄液タンク  ３３…第２洗浄液タンク  ５１…タンク収納装置  ５２…載置板  ５３…ドレンパン  ５４…スライド機構  ６１…左載置板  ６２…右載置板  ６３…左スライドレール  ６４…右スライドレール  ６５…回転取手  ７２…転倒防止機構  ７５…転倒防止部材  ７６…押圧部  ７７…ガイド部
【図１】
2009119343.tif 000003
【図２】
2009119343.tif 000004
【図３】
2009119343.tif 000005
【図４】
2009119343.tif 000006
【図５】
2009119343.tif 000007
【図６】
2009119343.tif 000008